(57)【要約】【課題】ポートレットの削除予定を、ポータルサイトにおいて当該ポートレットを参照するユーザ端末に自動的に通知するポータルシステムを提供する。【解決手段】ポータルサーバ３００が、ポータル生成部３３０のポートレット削除予定通知部３３１が削除予定のあるポートレットに削除予定のないポートレットとは異なるイメージを付与したポータルページを、ユーザ端末１００に送信する。【選択図】  図１
2004265309.tif 000002
【特許請求の範囲】
【請求項１】
ポータルページの取得要求をしたユーザ端末に、該ポータルページに含まれるポートレットの削除予定を自動的に通知する方法であって、
ポータルサーバが、削除予定のないポートレットとは異なるイメージを削除予定のあるポートレットに付与したポータルページを、前記ユーザ端末に送信するステップを有する方法。
【請求項２】
ポータルページの取得要求をしたユーザ端末に、該ポータルページに含まれるポートレットの削除予定を自動的に通知する方法であって、
ポータルサーバが、削除予定のあるポートレットの一覧を含むポータルページを前記ユーザ端末に送信するステップを有する方法。
【請求項３】
ポートレットの削除予定を自動的に通知する方法であって、ポータルサーバが、前記ポートレットの管理者によって削除予定が登録されると、電子メールとＦＡＸを含む手段によってユーザに通知するステップを有する方法。
【請求項４】
前記ユーザを前記ポートレットと関係する所定のユーザに限定するステップをさらに有する、請求項３に記載の方法。
【請求項５】
ポータルページの取得要求をしたユーザ端末に、該ポータルページに含まれるポートレットの削除予定を自動的に通知するポータルサーバであって、
削除予定のないポートレットとは異なるイメージを削除予定のあるポートレットに付与したポータルページを、前記ユーザ端末に送信する手段を有するポータルサーバ。
【請求項６】
ポータルページの取得要求をしたユーザ端末に、該ポータルページに含まれるポートレットの削除予定を自動的に通知するポータルサーバであって、
削除予定のあるポートレットの一覧を含むポータルページを前記ユーザ端末に送信する手段を有するポータルサーバ。
【請求項７】
ポートレットの削除予定を自動的に通知するポータルサーバであって、
前記ポートレットの管理者によって削除予定が登録されると、電子メールとＦＡＸを含む手段によってユーザに通知する手段を有するポータルサーバ。
【請求項８】
前記ユーザを、前記ポートレットと関係する所定のユーザに限定する手段をさらに有する、請求項７に記載のポータルサーバ。
【発明の詳細な説明】
【０００１】
【発明の属する技術分野】
本発明はポータルシステムに関する。
【０００２】
【従来の技術】
従来のポータルシステムにおいて、ポートレットの削除予定を、ポータルサイトにおいて当該ポートレットを参照する全てのユーザに通知するには、ポートレットの作成者ないし管理者に負担を課す以外なかった。
【０００３】
なお、他の技術分野においては、例えば、電子計算機システムにおいて、ユーザにファイルの削除予定を自動的に通知する技術が提案されている（例えば、特許文献１参照）
【０００４】
【特許文献１】
特開平１−３１２６４５号公報
【０００５】
【発明が解決しようとする課題】
電子計算機システムにおいて、ファイルの削除予定を自動的に通知する相手は、もっぱら当該ファイルの作成者ないし管理者であり、当該電子計算機システムを利用する他のユーザが通知相手になることはまれであると考えられる。すなわち、ファイル作成者ないし所有者の忘却対策といえる。
【０００６】
しかしながら、ポータルサイトにおいて不特定多数のユーザが当該ポートレットを参照するポータルシステムでは、最も通知を必要とするのは、ポートレットの作成者ないし管理者ではなく、当該ポートレットが事前に知らされること無く削除されることにより大きな不利益を受ける第三者のユーザであり、自動化は、第三者のユーザへの通知にこそ向けられなければならない。
【０００７】
本発明の目的は、ポートレットの削除予定を、ポータルサイトにおいて当該ポートレットを参照するユーザ端末に自動的に通知するポータルシステムを提供することにある。
【０００８】
【課題を解決するための手段】
上記目的を達成するために、本発明は、ポータルサーバが、削除予定のポートレットに削除予定のないポートレットとは異なるイメージを付与したポータルページをユーザ端末に送信する。
【０００９】
または、ポータルサーバが、削除予定のあるポートレットの一覧を含むポータルページをユーザ端末に送信する。
【００１０】
または、ポータルサーバが、ポートレットの削除予定を、電子メール、ＦＡＸを含むポータルページ以外の手段により送信する。
【００１１】
【発明の実施の形態】
次に、本発明の実施の形態について、図面を参照して詳細に説明する。
【００１２】
図１を参照すると、本発明の第１の実施形態のポータルシステムは、ネットワーク２００を介して接続する、ユーザ端末１００と、ポータルサイトを提供するポータルサーバ３００を含む。
【００１３】
ポータルサーバ３００は、通信制御部３１０と、ポータル更新部３２０と、ポータル生成部３３０と、記憶部３４０と、削除部３５０を含む。
【００１４】
通信制御部３１０は、ポータル更新部３２０およびポータル生成部３３０と、ユーザ端末１００との間のデータの送受信の制御を行う。
【００１５】
記憶部３４０は、ポートレット情報記憶部３４１と、ポータルページ情報記憶部３４２を含む。ポートレット情報記憶部３４１は、ポータルページのコンテンツとなるポートレットが格納されている。ポータルページ情報記憶部３４２は、ポータルページと、当該ポータルページを構成する、ポートレット情報記憶部３４１に格納されたポートレットの対応が保存されている。
【００１６】
ポータル更新部３２０は、ポートレット削除予定登録部３２１を含む。図２を参照すると、ポートレット削除予定登録部３２１は、通信制御部３１０を介して、ポートレットの削除を行うユーザ端末１００（当該ポートレットの作成者ないし管理者）から、ポートレット識別子と削除予定時刻を含む削除予定情報を伴う削除予定登録要求を受信すると、記憶部３４０内のポートレット情報記憶部３４１における当該ポートレット情報に削除予定情報を登録する。
【００１７】
ポータル生成部３３０は、ポートレット削除予定通知部３３１と、ポータルページ生成部３３２を含む。ポータルページ生成部３３２は、ポータルページを生成するにあたり、記憶部３４０のポータルページ情報記憶部３４２を参照して、当該ポータルページのコンテンツとなるポートレットを調べ、このポートレットをポートレット情報記憶部３４１から抽出する。ポートレット削除予定通知部３３１は、図３を参照すると、削除予定情報が付与されているポートレットにつき、削除予定情報が付与されていない通常のポートレットのイメージとは異なるイメージを生成する。通常のポートレットのイメージとの相違は、背景色や背景パターン、枠線の相違、特定文字列の表示、ポータルページの特殊な体裁などユーザが識別できるあらゆる相違を含む。このような異なるイメージが付与された削除予定のポートレットは、ポータルページ取得要求を行ったユーザ端末１００に送信され、削除の事前通知となる。
【００１８】
削除部３５０は、ポートレット削除予定登録部３２１によってポートレット情報記憶部３４１に登録された削除予定情報を監視し、削除予定時刻になると、ポートレット識別子により同定されるポートレットをポートレット情報記憶部３４１から削除する。
【００１９】
次に、本発明の第１の実施形態のポータルシステムの処理の流れについて、図４のフローチャートにより説明する。
【００２０】
ステップ１００１で、あるユーザ端末１００がポートレットＡの削除予定登録要求を、ネットワーク２００および通信制御部３１０を介して、ポータル更新部３２０のポートレット削除予定登録部３２１に送信する。
【００２１】
ステップ１００２で、ポートレット削除予定登録部３２１が、記憶部３４０のポートレット情報記憶部３４１にポートレットＡの削除予定情報を登録する。
【００２２】
ステップ１００３で、削除予定登録要求を行ったユーザ端末１００とは別のユーザ端末１００が、ポートレットＡを含むポータルページの取得要求を、ネットワーク２００および通信制御部３１０を介して、ポータル生成部３２０に送信する。
【００２３】
ステップ１００４で、もし現在の時刻がポートレットＡの削除予定時刻を過ぎていれば、ステップ１００５で、ポートレットＡは削除部３５０によってすでに削除されているので、ポータル生成部３２０のポータルページ生成部３３２はポートレットＡを取得できない。もし現在の時刻がポートレットＡの削除予定時刻を過ぎていなければ、ステップ１００６で、ポータルページ生成部３３２がポートレットＡを記憶部３４０のポートレット情報記憶部３４１から取得する。
【００２４】
ステップ１００７で、ポートレット削除予定通知部３３１が、取得したポートレットＡに削除予定イメージを付与する。
【００２５】
ステップ１００８で、ポータル生成部３３０は、ポートレットＡを含むポータルページを、取得要求を行ったユーザ端末１００に返信することにより、削除予定を事前通知することができる。
【００２６】
図５を参照すると、本発明の第２の実施形態のポータルシステムは、図１の第１の実施形態のポータルシステムと比較して、削除部３５０がなく、ポートレット削除予定通知部３３１の代わりに、ポートレット削除・削除予定通知部３３３が設けられている。ポートレット削除・削除予定通知部３３３が、図１の第１の実施形態のポータルシステムの削除部３５０とポートレット削除予定通知部３３１の機能を兼ねる。図６を参照すると、削除予定情報が登録されていないポートレットは、通常の状態でユーザ端末１００に表示される。削除予定情報が登録されており、現在時刻が削除予定時刻を過ぎているポートレットは、ポートレット削除・削除予定通知部３３３が削除を行う。削除予定情報２２０が登録されているが、現在時刻が削除予定時刻になっていないポートレットは、ポートレット削除・削除予定通知部３３３が削除予定イメージを付与したうえで、ユーザ端末１００に表示される。
【００２７】
図７を参照すると、本発明の第３の実施形態のポータルシステムは、ポートレット削除予定登録部３２１が、ユーザ端末１００による削除予定の更新要求を受信したり、解除要求を受信したりできるような機能をさらに有する点で、第１の実施形態のポータルシステムと異なる。削除等を行うユーザ端末１００（ポートレットの作成者ないし管理者）から削除予定登録・更新要求を受信することにより、削除予定情報を登録するだけでなく、既に設定されている削除予定時刻を更新することもできる。また、ユーザ端末１００から削除予定解除要求を受信することにより、既に設定されている削除予定情報を削除することもできる。ポートレット削除予定登録部３２１は、削除予定解除要求に含まれるポートレット識別子により、ポートレット情報記憶部３４１から削除予定情報を削除するポートレットを検索して、そのポートレットの削除予定情報を削除する。
【００２８】
図８を参照すると、本発明の第４の実施形態のポータルシステムは、削除予定を通知するために削除予定のあるポートレットの表示イメージを変更するのではなく、削除予定のあるポートレットを一覧表示している。削除予定のあるポートレットの一覧は、削除予定のあるポートレットを配置したページとは別に、例えばポータルの最初のページに特殊なポートレットとして表示する。第４の実施形態のポータルシステムのように、削除予定のあるポートレットの一覧を用いる場合には、ログイン後最初に表示されるページなどに、そのユーザに関連する削除予定のあるポートレットの一覧を表示する。
【００２９】
図９を参照すると、本発明の第５の実施形態のポータルシステムは、ポートレット削除予定通知部３６０がポータル生成部３３０の外に出て、削除予定の通知をポータルページで行わない点と、通知先検索部３７０と、記憶部３４０内のポータルメンバ情報記憶部３４３があらたに設けられ、通知先を選択する点が、第１の実施形態のポータルシステムと異なる。すなわち、削除予定の通知を、ポータルページの取得要求を行ったユーザ端末に行うのではなく、削除予定が登録されると、すべてのユーザまたは所定のユーザに行う。
【００３０】
ポータルメンバ情報記憶部３４３には、ポータルメンバが登録されている。ポートレット削除予定通知部３６０は、通知先検索部３７０を用いて、ポータルメンバ情報記憶部３４３から当該ポートレットの削除予定通知先を検索して削除予定の通知を行う。削除予定の通知先はシステムの構成により、ポータルメンバ全員、あるいは、予め設定された一部のポータルメンバとなる。通知先の設定方法の一つとして、当該ポートレットの削除予定を登録する際に、通知先検索部３７０を用いて、個人や複数のメンバからなるグループなどの削除予定の通知先を、何らかの条件によって検索されたメンバとすることが挙げられる。削除予定を通知する方法としては、メールやファックスなどを使って自動的に情報を送信するほか、送付する紙面のイメージなど、通知に用いる媒体の自動生成を含む。
【００３１】
【発明の効果】
以上説明したように、本発明によれば、次のような効果を有する。
【００３２】
第１の効果は、ポートレットを参照しているユーザが事前に削除の予定を知ることができる点である。削除予定を知ることで、そのポートレットを必要とするユーザは削除の取り消しを求めたり、ポートレットをコピーしたりしておくなどして事前に対策を立てることができる。
【００３３】
第２の効果は、ポートレットの削除予定の事前通知や通知相手の特定を自動で行うことができる点である。
【図面の簡単な説明】
【図１】本発明の第１の実施形態のポータルシステムの構成を示した図である。
【図２】本発明の第１の実施形態のポータルシステムにおいて、ユーザ端末がポートレットの削除予定登録要求を行ったときの処理を説明するための図である。
【図３】本発明の第１の実施形態のポータルシステムにおいて、ユーザ端末がポータルページの取得要求を行ったときの処理を説明するための図である。
【図４】本発明の第１の実施形態のポータルシステムの処理の流れを示したフローチャートである。
【図５】本発明の第２の実施形態のポータルシステムの構成を示した図である。
【図６】本発明の第２の実施形態のポータルシステムのポータル生成部における処理の流れを示したフローチャートである。
【図７】本発明の第３の実施形態のポータルシステムにおいて、ユーザ端末がポートレットの削除予定登録・更新・解除要求を行ったときの処理を説明するための図である。
【図８】本発明の第４の実施形態のポータルシステムにおいて、ユーザ端末への事前通知の表示の例を示した図である。
【図９】本発明の第５の実施形態のポータルシステムの構成を示した図である。
【符号の説明】
１００  ユーザ端末
２００  ネットワーク
３００  ポータルサーバ
３１０  通信制御部
３２０  ポータル更新部
３２１  ポートレット削除予定登録部
３３０  ポータル生成部
３３１  ポートレット削除予定通知部
３３２  ポータルページ生成部
３３３  ポートレット削除・削除予定通知部
３４０  記憶部
３４１  ポートレット情報記憶部
３４２  ポータルページ情報記憶部
３４３  ポータルメンバ情報記憶部
３５０  削除部
３６０  ポートレット削除予定通知部
３７０  通知先検索部
４００  ユーザ
１００１〜１００８  ステップ
【図１】
2004265309.tif 000003
【図２】
2004265309.tif 000004
【図３】
2004265309.tif 000005
【図４】
2004265309.tif 000006
【図５】
2004265309.tif 000007
【図６】
2004265309.tif 000008
【図７】
2004265309.tif 000009
【図８】
2004265309.tif 000010
【図９】
2004265309.tif 000011